(57)【要約】【課題】一般ユーザーが所望の撮像を行いつつ、全体的な映像も得ることができるようにし、満足度の高い映像が得られるようにする。【解決手段】コモンビュー供給装置において、コモン映像として例えば被写体となっている範囲の全体的な映像を撮像し、その映像データをローカル撮像装置に送信する。ローカル撮像装置では、ユーザーが任意に撮像を行い、撮像映像を記録媒体に記録するが、その際に、コモンビュー供給装置から送信されてきた映像も同時に記録する。このように記録された２系統の映像データは、再生時には選択的に、或いは合成して出力する。【選択図】        図１
2005026727.tif 000002
【特許請求の範囲】
【請求項１】
第１の撮像装置と第２の撮像装置とからなる撮像システムであって、
上記第１の撮像装置は、
映像撮像を行って映像データを得る第１の映像撮像手段と、
上記第１の映像撮像手段で撮像した映像データを送信する送信手段と、
を備え、
上記第２の撮像装置は、
上記第１の撮像装置から送信された映像データを受信する受信手段と、
映像撮像を行って映像データを得る第２の映像撮像手段と、
上記受信手段で受信された映像データと、上記第２の映像撮像手段で得た映像データとを、１つの映像コンテンツ上で時間的に重複する複数の映像データとして記録媒体に記録する記録手段と、
を備えたことを特徴とする撮像システム。
【請求項２】
上記第１の撮像装置は、さらに、マイクロホン入力又はライン入力として、音声データを得る第１の音声入力手段を備え、
上記送信手段は、上記第１の映像撮像手段で撮像した映像データと上記第１の音声入力手段で得た音声データを送信し、
上記第２の撮像装置では、
上記受信手段は、上記第１の撮像装置から送信された映像データ及び音声データを受信し、
上記記録手段は、上記受信手段で受信された音声データを、上記映像コンテンツを構成する映像データに対応する音声データとして記録媒体に記録することを特徴とする請求項１に記載の撮像システム。
【請求項３】
上記第２の撮像装置は、さらに、
音声データを得る第２の音声入力手段を備え、
上記記録手段は、上記第２の音声入力手段で得られた音声データを、上記映像コンテンツを構成する映像データに対応する音声データとして記録媒体に記録することを特徴とする請求項１に記載の撮像システム。
【請求項４】
上記第２の撮像装置は、さらに、
音声データを得る第２の音声入力手段を備え、
上記記録手段は、上記受信手段で受信された音声データと、上記第２の音声入力手段で得られた音声データとを、それぞれ上記映像コンテンツを構成する映像データに対応する音声データとして記録媒体に記録することを特徴とする請求項２に記載の撮像システム。
【請求項５】
上記第１の撮像装置は、さらに、データを暗号化する暗号化手段を備え、
上記送信手段は、上記暗号化手段で暗号化されたデータを送信することを特徴とする請求項１又は請求項２に記載の撮像システム。
【請求項６】
上記第２の撮像装置は、さらに、上記受信手段で受信した暗号化データを復号して上記記録手段に供給する復号手段を備えることを特徴とする請求項５に記載の撮像システム。
【請求項７】
上記復号手段は、上記記録媒体から読み出された暗号鍵を用いて、暗号化データの復号を行うことを特徴とする請求項６に記載の撮像システム。
【請求項８】
上記記録手段は、上記第２の映像撮像手段で得た映像データを上記記録媒体に記録する期間に、上記受信手段で受信された映像データの上記記録媒体への記録も行うことを特徴とする請求項１に記載の撮像システム。
【請求項９】
上記記録手段は、上記第２の映像撮像手段で得た映像データの上記記録媒体への記録を実行していない期間にも、上記受信手段で受信された映像データの上記記録媒体への記録を行うことを特徴とする請求項８に記載の撮像システム。
【請求項１０】
上記第２の撮像装置は、さらに、
１つの映像コンテンツ上で時間的に重複する複数の映像データとして記録媒体に記録された各映像データについて、上記記録媒体から再生し、選択又は合成して表示出力データとする再生表示処理手段を備えることを特徴とする請求項１に記載の撮像システム。
【請求項１１】
上記第２の撮像装置は、さらに、
１つの映像コンテンツを構成する映像データに対応する音声データとして記録媒体に記録された各音声データについて、上記記録媒体から再生し、選択して出力音声データとする再生音声処理手段を備えることを特徴とする請求項４に記載の撮像システム。
【請求項１２】
外部装置から送信されてきた映像データを受信する受信手段と、
映像撮像を行って映像データを得る映像撮像手段と、
上記受信手段で受信された映像データと、上記映像撮像手段で得た映像データとを、１つの映像コンテンツ上で時間的に重複する複数の映像データとして記録媒体に記録する記録手段と、
を備えたことを特徴とする撮像装置。
【請求項１３】
上記受信手段は、外部装置から送信されてきた音声データも受信し、
上記記録手段は、上記受信手段で受信された音声データを、上記映像コンテンツを構成する映像データに対応する音声データとして記録媒体に記録することを特徴とする請求項１２に記載の撮像装置。
【請求項１４】
さらに、音声データを得る音声入力手段を備え、
上記記録手段は、上記音声入力手段で得られた音声データを、上記映像コンテンツを構成する映像データに対応する音声データとして記録媒体に記録することを特徴とする請求項１２に記載の撮像装置。
【請求項１５】
さらに、音声データを得る音声入力手段を備え、
上記記録手段は、上記受信手段で受信された音声データと、上記音声入力手段で得られた音声データとを、それぞれ上記映像コンテンツを構成する映像データに対応する音声データとして記録媒体に記録することを特徴とする請求項１３に記載の撮像装置。
【請求項１６】
さらに、上記受信手段で受信した暗号化データを復号して上記記録手段に供給する復号手段を備えることを特徴とする請求項１２に記載の撮像装置。
【請求項１７】
上記復号手段は、上記記録媒体から読み出された暗号鍵を用いて、暗号化データの復号を行うことを特徴とする請求項１６に記載の撮像装置。
【請求項１８】
上記記録手段は、上記映像撮像手段で得た映像データを上記記録媒体に記録する期間に、上記受信手段で受信された映像データの上記記録媒体への記録も行うことを特徴とする請求項１２に記載の撮像装置。
【請求項１９】
上記記録手段は、上記映像撮像手段で得た映像データの上記記録媒体への記録を実行していない期間にも、上記受信手段で受信された映像データの上記記録媒体への記録を行うことを特徴とする請求項１８に記載の撮像装置。
【請求項２０】
さらに、１つの映像コンテンツ上で時間的に重複する複数の映像データとして記録媒体に記録された各映像データについて、上記記録媒体から再生し、選択又は合成して表示出力データとする再生表示処理手段を備えることを特徴とする請求項１２に記載の撮像装置。
【請求項２１】
さらに、１つの映像コンテンツを構成する映像データに対応する音声データとして記録媒体に記録された各音声データについて、上記記録媒体から再生し、選択して出力音声データとする再生音声処理手段を備えることを特徴とする請求項１５に記載の撮像装置。
【請求項２２】
第１の撮像装置において映像撮像を行って映像データを得る第１の映像撮像ステップと、
上記第１の映像撮像手段で撮像した映像データを送信する送信ステップと、
第２の撮像装置において、上記第１の撮像装置から送信された映像データを受信する受信ステップと、
第２の撮像装置において、映像撮像を行って映像データを得る第２の映像撮像ステップと、
上記受信ステップで受信された映像データと、上記第２の映像撮像ステップで得た映像データとを、１つの映像コンテンツ上で時間的に重複する複数の映像データとして記録媒体に記録する記録ステップと、
を備えたことを特徴とする撮像方法。
【請求項２３】
さらに、上記第１の撮像装置において、マイクロホン入力又はライン入力として音声データを得る第１の音声入力ステップを備え、
上記送信ステップでは、上記第１の映像撮像ステップで撮像した映像データと上記第１の音声入力ステップで得た音声データを送信し、
上記第２の撮像装置における上記受信ステップでは、上記第１の撮像装置から送信された映像データ及び音声データを受信し、
上記記録ステップでは、上記受信ステップで受信された音声データを、上記映像コンテンツを構成する映像データに対応する音声データとして記録媒体に記録することを特徴とする請求項２２に記載の撮像方法。
【請求項２４】
さらに、上記第１の撮像装置においてデータを暗号化する暗号化ステップを備え、
上記送信ステップでは、上記暗号化ステップで暗号化されたデータを送信するとともに、
上記第２の撮像装置において上記受信ステップで受信した暗号化データを復号して上記記録ステップに供する復号ステップを備えることを特徴とする請求項２２又は請求項２３に記載の撮像方法。
【請求項２５】
外部装置から送信されてきた映像データを受信する受信ステップと、
映像撮像を行って映像データを得る映像撮像ステップと、
上記受信ステップで受信された映像データと、上記映像撮像ステップで得た映像データとを、１つの映像コンテンツ上で時間的に重複する複数の映像データとして記録媒体に記録する記録ステップと、
を備えたことを特徴とする撮像方法。
【請求項２６】
上記受信ステップでは、外部装置から送信されてきた音声データも受信し、
上記記録ステップでは、上記受信ステップで受信された音声データを、上記映像コンテンツを構成する映像データに対応する音声データとして記録媒体に記録することを特徴とする請求項２５に記載の撮像方法。
【請求項２７】
さらに、音声データを得る音声入力ステップを備え、
上記記録ステップは、上記音声入力ステップで得られた音声データを、上記映像コンテンツを構成する映像データに対応する音声データとして記録媒体に記録することを特徴とする請求項２５に記載の撮像方法。
【請求項２８】
さらに、音声データを得る音声入力ステップを備え、
上記記録ステップは、上記受信ステップで受信された音声データと、上記音声入力ステップで得られた音声データとを、それぞれ上記映像コンテンツを構成する映像データに対応する音声データとして記録媒体に記録することを特徴とする請求項２６に記載の撮像方法。
【請求項２９】
さらに、上記受信ステップで受信した暗号化データを復号して上記記録ステップに供する復号ステップを備えることを特徴とする請求項２５に記載の撮像方法。
【請求項３０】
上記復号ステップでは、上記記録媒体から読み出された暗号鍵を用いて、暗号化データの復号を行うことを特徴とする請求項２９に記載の撮像方法。
【請求項３１】
上記記録ステップでは、上記映像撮像ステップで得た映像データを上記記録媒体に記録する期間に、上記受信ステップで受信された映像データの上記記録媒体への記録も行うことを特徴とする請求項２５に記載の撮像方法。
【請求項３２】
上記記録ステップでは、上記映像撮像ステップで得た映像データの上記記録媒体への記録を実行していない期間にも、上記受信ステップで受信された映像データの上記記録媒体への記録を行うことを特徴とする請求項３１に記載の撮像方法。
【請求項３３】
さらに、１つの映像コンテンツ上で時間的に重複する複数の映像データとして記録媒体に記録された各映像データについて、上記記録媒体から再生し、選択又は合成して表示出力データとする再生表示処理ステップを備えることを特徴とする請求項２５に記載の撮像方法。
【請求項３４】
さらに、１つの映像コンテンツを構成する映像データに対応する音声データとして記録媒体に記録された各音声データについて、上記記録媒体から再生し、選択して出力音声データとする再生音声処理ステップを備えることを特徴とする請求項２８に記載の撮像方法。
【発明の詳細な説明】
【０００１】
【発明の属する技術分野】
本発明は例えば一般ユーザーにとって好適な撮像映像を得ることができる撮像システム、撮像装置、及び撮像方法に関するものである。
【０００２】
【従来の技術】
近年、例えばディスクメディアやテープメディアに撮像映像を記録する小型のビデオカメラが一般に普及し、ユーザーが容易にビデオ撮影を行って楽しむことができる状況にある。
例えば多くの人が、運動会や各種イベント、遊園地、行楽地などでのビデオカメラでの撮像を行っている。
【０００３】
また、一般ユーザーが家庭等において静止画や動画映像を容易に楽しむことのできる環境が整うことに応じて、動画や静止画の配信サービス、或いは遊園地等での撮影サービスなど、各種のサービスが提案又は実現されている。例えば下記特許文献には、撮影サービスを行う技術が開示されている。
【特許文献１】特開２００１−１４８８２２
【０００４】
【発明が解決しようとする課題】
ところで、実際にビデオカメラで撮像を行う際には、特定の被写体に集中して撮像したい場合が多い。
例えば小学校等の運動会を例に挙げると、自分の子供を中心に撮像を行うことが普通であるが、特に競技中に、自分の子供だけをズーム状態で追って撮像しているということも多い。もちろんそのようにして撮像された映像は、撮像者やその家族等にとって価値の高いものであるが、競技全体がどのようなものかが全くわからないといったものとなることがある。
一方で、競技全体を俯瞰的に撮っていると、自分の子供を大きく撮れないため、その撮像者等にとって、よい映像とはいえなくなることも多い。
さらには、自分の子供のズームアップ映像と、全体的な映像の両方を得るため、頻繁にズーム操作を行うこともあるが、その場合、映像は落ち着きが無く見づらいものとなったり、或いは競技全体の映像を撮っているときに自分の子供の位置を見失って、うまく撮像できなかったという結果となることもある。
【０００５】
以上は一例であるが、実際に一般ユーザーがビデオカメラで撮像を行う際には、全体的な映像とズームアップした映像の両方を撮りたい場合が多々ある。ところがそのような場合に、特に撮像に熟練しているユーザーでもない限り、望むような撮像を行うことができないのが通常である。
【０００６】
【課題を解決するための手段】
そこで本発明は、一般ユーザーが所望の撮像を行いつつ、全体的な映像も得ることができるようにし、満足度の高い映像が得られるようにすることを目的とする。
【０００７】
本発明の請求項１〜１１でいう撮像システムは、第１の撮像装置（コモンビュー供給装置）と第２の撮像装置（ローカル撮像装置）とからなる撮像システムである。
そして上記第１の撮像装置（コモンビュー供給装置）は、映像撮像を行って映像データを得る第１の映像撮像手段と、上記第１の映像撮像手段で撮像した映像データを送信する送信手段とを備える。
また上記第２の撮像装置（ローカル撮像装置）は、上記第１の撮像装置から送信された映像データを受信する受信手段と、映像撮像を行って映像データを得る第２の映像撮像手段と、上記受信手段で受信された映像データと、上記第２の映像撮像手段で得た映像データとを、１つの映像コンテンツ上で時間的に重複する複数の映像データとして記録媒体に記録する記録手段とを備える。
【０００８】
また上記第１の撮像装置（コモンビュー供給装置）は、さらに、マイクロホン入力又はライン入力として、音声データを得る第１の音声入力手段を備え、上記送信手段は、上記第１の映像撮像手段で撮像した映像データと上記第１の音声入力手段で得た音声データを送信する。
上記第２の撮像装置（ローカル撮像装置）では、上記受信手段は、上記第１の撮像装置から送信された映像データ及び音声データを受信し、上記記録手段は、上記受信手段で受信された音声データを、上記映像コンテンツを構成する映像データに対応する音声データとして記録媒体に記録する。
また上記第２の撮像装置（ローカル撮像装置）は、さらに、音声データを得る第２の音声入力手段を備え、上記記録手段は、上記第２の音声入力手段で得られた音声データを、上記映像コンテンツを構成する映像データに対応する音声データとして記録媒体に記録する。
または、上記記録手段は、上記受信手段で受信された音声データと、上記第２の音声入力手段で得られた音声データとを、それぞれ上記映像コンテンツを構成する映像データに対応する音声データとして記録媒体に記録する。
【０００９】
また上記第１の撮像装置（コモンビュー供給装置）は、さらに、データを暗号化する暗号化手段を備え、上記送信手段は、上記暗号化手段で暗号化されたデータを送信する。
上記第２の撮像装置（ローカル撮像装置）は、さらに、上記受信手段で受信した暗号化データを復号して上記記録手段に供給する復号手段を備える。
この場合上記復号手段は、上記記録媒体から読み出された暗号鍵を用いて、暗号化データの復号を行う。
【００１０】
また上記第２の撮像装置（ローカル撮像装置）において、上記記録手段は、上記第２の映像撮像手段で得た映像データを上記記録媒体に記録する期間に、上記受信手段で受信された映像データの上記記録媒体への記録も行う。
また上記記録手段は、上記第２の映像撮像手段で得た映像データの上記記録媒体への記録を実行していない期間にも、上記受信手段で受信された映像データの上記記録媒体への記録を行う。
【００１１】
また上記第２の撮像装置（ローカル撮像装置）は、さらに、１つの映像コンテンツ上で時間的に重複する複数の映像データとして記録媒体に記録された各映像データについて、上記記録媒体から再生し、選択又は合成して表示出力データとする再生表示処理手段を備える。
また１つの映像コンテンツを構成する映像データに対応する音声データとして記録媒体に記録された各音声データについて、上記記録媒体から再生し、選択して出力音声データとする再生音声処理手段を備える。
【００１２】
本発明の請求項１２〜２１でいう撮像装置は、上記第２の撮像装置（ローカル撮像装置）に相当する構成要件を備えた撮像装置である。
【００１３】
本発明の請求項２２〜２４でいう撮像方法は、上記撮像システムで実行される撮像方法である。
即ち、第１の撮像装置において映像撮像を行って映像データを得る第１の映像撮像ステップと、上記第１の映像撮像手段で撮像した映像データを送信する送信ステップと、第２の撮像装置において、上記第１の撮像装置から送信された映像データを受信する受信ステップと、第２の撮像装置において、映像撮像を行って映像データを得る第２の映像撮像ステップと、上記受信ステップで受信された映像データと、上記第２の映像撮像ステップで得た映像データとを、１つの映像コンテンツ上で時間的に重複する複数の映像データとして記録媒体に記録する記録ステップとを備える。
また、さらに、上記第１の撮像装置において、マイクロホン入力又はライン入力として音声データを得る第１の音声入力ステップを備え、上記送信ステップでは、上記第１の映像撮像ステップで撮像した映像データと上記第１の音声入力ステップで得た音声データを送信し、上記第２の撮像装置における上記受信ステップでは、上記第１の撮像装置から送信された映像データ及び音声データを受信し、上記記録ステップでは、上記受信ステップで受信された音声データを、上記映像コンテンツを構成する映像データに対応する音声データとして記録媒体に記録する。
またさらに、上記第１の撮像装置においてデータを暗号化する暗号化ステップを備え、上記送信ステップでは、上記暗号化ステップで暗号化されたデータを送信するとともに、上記第２の撮像装置において上記受信ステップで受信した暗号化データを復号して上記記録ステップに供する復号ステップを備える。
【００１４】
本発明の請求項２５〜３４でいう撮像方法は、上記第２の撮像装置（ローカル撮像装置）で実行される撮像方法である。
即ち、外部装置から送信されてきた映像データを受信する受信ステップと、映像撮像を行って映像データを得る映像撮像ステップと、上記受信ステップで受信された映像データと、上記映像撮像ステップで得た映像データとを、１つの映像コンテンツ上で時間的に重複する複数の映像データとして記録媒体に記録する記録ステップとを備える。
また上記受信ステップでは、外部装置から送信されてきた音声データも受信し、上記記録ステップでは、上記受信ステップで受信された音声データを、上記映像コンテンツを構成する映像データに対応する音声データとして記録媒体に記録する。
さらに、音声データを得る音声入力ステップを備え、上記記録ステップは、上記音声入力ステップで得られた音声データを、上記映像コンテンツを構成する映像データに対応する音声データとして記録媒体に記録する。或いは、上記受信ステップで受信された音声データと、上記音声入力ステップで得られた音声データとを、それぞれ上記映像コンテンツを構成する映像データに対応する音声データとして記録媒体に記録する。
さらに、上記受信ステップで受信した暗号化データを復号して上記記録ステップに供する復号ステップを備える。
上記復号ステップでは、上記記録媒体から読み出された暗号鍵を用いて、暗号化データの復号を行う。
また上記記録ステップでは、上記映像撮像ステップで得た映像データを上記記録媒体に記録する期間に、上記受信ステップで受信された映像データの上記記録媒体への記録も行う。
また上記記録ステップでは、上記映像撮像ステップで得た映像データの上記記録媒体への記録を実行していない期間にも、上記受信ステップで受信された映像データの上記記録媒体への記録を行う。
さらに、１つの映像コンテンツ上で時間的に重複する複数の映像データとして記録媒体に記録された各映像データについて、上記記録媒体から再生し、選択又は合成して表示出力データとする再生表示処理ステップを備える。
さらに、１つの映像コンテンツを構成する映像データに対応する音声データとして記録媒体に記録された各音声データについて、上記記録媒体から再生し、選択して出力音声データとする再生音声処理ステップを備える。
【００１５】
以上のような本発明によれば、第１の撮像装置（コモンビュー供給装置）において、例えば被写体となっている範囲の全体的な映像を撮像し、その映像データを第２の撮像装置（ローカル撮像装置）に送信する。
第２の撮像装置（ローカル撮像装置）では、ユーザーが任意に撮像を行い、撮像映像を記録媒体に記録するが、その際に、上記第１の撮像装置（コモンビュー供給装置）から送信されてきた映像も同時に記録する。
すると、例えば第２の撮像装置（ローカル撮像装置）のユーザーは、自分の撮りたい映像を集中して撮っていればよく、全体的な映像については第１の撮像装置（コモンビュー供給装置）から受信した映像を記録することで得ることができる。
ローカル撮像装置のユーザーが自分で撮像した映像とコモンビュー供給装置から送信されてきた映像は、同一の映像コンテンツを構成する２系統の映像データとして記録される。再生時には、これら２系統の映像を選択的に、或いは合成して出力することで、ユーザーにとって最適な状態で再生映像を楽しむことができる。
【００１６】
【発明の実施の形態】
以下、本発明の実施の形態を次の順序で説明する。
１．撮像システムの概要
２．コモンビュー供給装置の構成
３．ローカル撮像装置の構成
４．暗号鍵の提供形態
５．コモンビュー供給及び記録処理
６．映像／音声の再生
７．変形例
【００１７】
１．撮像システムの概要
図１は、本例の撮像システムを使用する例を示している。本例の撮像システムは、第１の撮像装置としてのコモンビュー供給装置１と、ユーザーが自分で撮像を行う第２の撮像装置としてローカル撮像装置５とにより成る。
【００１８】
図１では、例えば運動会において、ユーザーが自分で所持するビデオカメラ（ローカル撮像装置５）により、任意に撮像を行っている例を示している。例えば自分の子供をズームアップした状態で、その子供の動きを追うような撮像である。即ち一般ユーザーが通常行う撮像である。
なお、ローカル撮像装置５でユーザーが撮像する映像及び音声を「ローカル映像」「ローカル音声」ということとする。
【００１９】
一方、この運動会が開催されている学校の所定位置、例えば校舎内、或いは屋上など、運動場で行われている競技全体を鳥瞰的に撮像できるような場所に、コモンビュー供給装置１が設置される。
このコモンビュー供給装置１は、コモンカメラ２と制御／送信ユニット３を有し、コモンカメラ２によっては競技全体の映像を撮像する。
なお、コモンビュー供給装置１によって撮像される映像及び音声を「コモン映像」「コモン音声」と言うこととする。
コモンカメラ２によって撮像されたコモン映像（及びコモン音声）は、制御／送信ユニット３により送信出力される。
ローカル撮像装置５では、コモンビュー供給装置１によって送信されたコモン映像／コモン音声を受信復調することができる。
【００２０】
ローカル撮像装置５では、映像データや音声データを記録メディア（例えばディスク）に記録する。
即ち所持するユーザーの操作に応じて、ローカル映像、ローカル音声をディスクに記録する。
さらに上記のようにコモンビュー供給装置１から送信されてくるコモン映像、コモン音声も、ローカル映像、ローカル音声と同時的にディスクに記録する。
従って、ローカル撮像装置５におけるディスクには、１つの映像コンテンツを構成する映像としてローカル映像とコモン映像の２系統が記録される。また音声としてローカル音声とコモン音声の２系統（もちろんそれぞれがステレオ音声など多チャンネルの音声データの場合もある）が記録される。
ローカル映像は、ユーザーが自分で撮像した映像である。
コモン映像は、運動会等の光景を全体的に撮した映像である。
ローカル音声は、ローカル撮像装置５におけるマイクロホンで集音されたユーザーの周辺の音声となる。
コモン音声は、運動会等のイベントにおいて全体的な音声をマイクロホンで集音したり、或いはイベントのメインとなる音声（例えば会場のＰＡシステム等で流される主音声や音楽ＢＧＭなど）をライン入力した音声とすることができる。
【００２１】
ローカル撮像装置５では、このように記録された映像データ、音声データを用いてユーザーが所望する再生、即ち表示出力及び音声出力を行うことができる。即ちローカル撮像とコモン映像を切換選択しながら表示させたり、画面分割或いは親子画面（ＰｉｎＰ）などのように合成して表示させることができる。
即ち、全体を撮したコモン映像と、自分が集中して撮像したローカル映像の両方を、好みの状態で見ることができる。
またその際にローカル音声とコモン音声を選択することもできる。
【００２２】
２．コモンビュー供給装置の構成
図２にコモンビュー供給装置１の構成例を示す。
コモンビュー供給装置１は、コモンカメラ２、コモンマイク４、制御／送信ユニット３を備える。
なお、コモンカメラ２、コモンマイク４、制御／送信ユニット３は、それぞれ別体の機器とされても良いが、これらを含んだ一体の機器として構成されても良い。例えばビデオカメラ機器において搭載されているカメラ部やマイクロホンが、ここでいうコモンカメラ２、コモンマイク４とされ、かつ装置内部に、以下に述べる制御／送信ユニット３としての機能部位が設けられていればよい。
【００２３】
制御／送信ユニット３には、コモン制御部１１，コモンデータ送信部１２、ミキサ回路１３、アンテナ１７が設けられる。
コモン制御部１１は、コモンビュー供給装置１の各部の制御を行う。
コモンデータ送信部１２には、ＡＶ（Ａｕｄｉｏ−Ｖｉｄｅｏ）信号処理部１４，暗号器１５，送信器１６を備える。
【００２４】
コモンカメラ２は、撮像レンズや絞りなどを備えて構成されるレンズ系、レンズ系に対してフォーカス動作やズーム動作を行わせるための駆動系、レンズ系で得られる撮像光を検出し、光電変換を行うことで撮像信号を生成するＣＣＤ（Ｃｈａｒｇｅ  Ｃｏｕｐｌｅｄ  Ｄｅｖｉｃｅ）  、ＣＣＤによって得られる信号に対するゲイン調整や波形整形を行うサンプルホールド／ＡＧＣ（Ａｕｔｏｍａｔｉｃ  Ｇａｉｎ  Ｃｏｎｔｒｏｌ）回路、ビデオＡ／Ｄコンバータなどを備え、撮像によるデジタル映像データを出力する。
コモンカメラ２におけるＣＣＤ撮像動作、フォーカス／ズーム駆動系動作、信号処理などは、コモン制御部１１によって制御される。
【００２５】
このコモンカメラ２では、上述のように運動会等の全体的な光景を撮像する。コモンカメラ２で撮像される映像信号（コモン映像データＣＡ）はＡＶ信号処理部１４に供給される。
またコモンマイク４で集音される音声信号、及びライン入力される音声信号は、ミキサ回路１３に入力される。
ミキサ回路１３は、ＡＶ信号処理部１４からのＭＩＸ制御信号に基づいて混合比が設定される。例えば混合比を１００：０にすれば、コモンマイク４からの音声とライン入力音声の一方が選択される。また混合比を５０：５０にすれば、各音声がミックスされる。
ミキサ回路１３は、このように設定された混合比で音声信号を混合又は選択した信号をコモン音声信号としてＡＶ信号処理部１４に供給する。なお、アナログ信号としてのコモン音声信号は、ミキサ回路１３の出力段、或いはＡＶ信号処理部１４の入力段においてデジタルデータに変換され、コモン音声データＣＡとしてＡＶ信号処理部１４に入力されることになる。
【００２６】
ＡＶ信号処理部１４では、入力されるコモン映像データＣＡ、コモン音声データＣＡに対して圧縮処理や送信用のフォーマット処理など、所定の処理を行い、送信用の映像／音声データＡＶを生成する。
圧縮符号化処理としては、例えばＭＰＥＧ（Ｍｏｖｉｎｇ  Ｐｉｃｔｕｒｅ  Ｅｘｐｅｒｔｓ  Ｇｒｏｕｐ）方式、ＪＰＥＧ  （Ｊｏｉｎｔ  Ｐｈｏｔｏｇｒａｐｈｉｃ  Ｅｘｐｅｒｔｓ  Ｇｒｏｕｐ）方式或いは他の圧縮方式の処理が行われる。
ＡＶ信号処理部１４の処理動作、例えば圧縮比やＭＩＸ制御信号の出力の制御はコモン制御部１１からの制御信号に基づく。
【００２７】
ＡＶ信号処理部１４から出力される映像／音声データＡＶは、暗号器１５に供給される。暗号器１５では、コモン制御部１１から供給された暗号鍵Ｋを用いて映像／音声データＡＶに対する暗号化処理を行う。
暗号器１５で暗号化された映像／音声データ（被暗号化データＡＶ−Ｋ）は、送信器１６に供給され、変調処理その他必要な処理が施され、アンテナ１７から送信出力される。送信器１６の処理はコモン制御部１１から送信制御信号に基づいて実行される。
【００２８】
コモン制御部１１は、上記のように各部に対する動作制御を行うとともに、暗号鍵Ｋの生成及び出力を行う。
暗号鍵Ｋは、本例のシステムによる撮像を実施するイベント毎、或いは場所毎などに固有のコードなどとして生成する。
また本例のシステムによるコモン映像／コモン音声の提供を受ける側、即ち一般ユーザーの所持するローカル撮像装置５側では、暗号鍵Ｋが必要となるため、そのローカル撮像装置５側に暗号鍵Ｋを提供する。暗号鍵Ｋの提供態様については後述する。
【００２９】
３．ローカル撮像装置の構成
図３にローカル撮像装置５の構成例を示す。ローカル撮像装置５は一般ユーザーが所持して撮像を行うビデオカメラ装置として実現される。
図示するように、ローカル撮像装置５にはローカル制御部２１、コモンデータ受信部２２、ローカル記録部２３、ローカル再生部２４、アンテナ２５、操作部２６、メディアドライブ２７、表示部２８、スピーカ２９、ローカルカメラ３０、ローカルマイク３１が設けられる。
【００３０】
ローカル制御部２１は、操作部２６によるユーザーの操作や、内部メモリに保持する動作プログラムに基づいて、ローカル撮像装置５内の各部の制御を行う。操作部２６にはユーザーの電源操作、撮像スタンバイ／撮像（記録）開始操作、一時停止（ポーズ）操作、停止操作、ズーム操作、再生操作、再生時の表示モード選択、音声選択操作など、各種操作のための操作キーが設けられている。
【００３１】
コモンデータ受信部２２は、ローカル制御部２１からの受信制御信号に基づいて受信処理を行う。このコモンデータ受信部２２には受信器３２と暗号復号器３３が設けられており、受信器３２はアンテナ２５で得られる受信信号の復調を行って、コモンビュー供給装置１から送信されてきた被暗号化データＡＶ−Ｋを得る。
暗号復号器３３は、ローカル制御部２１からセットされた暗号鍵Ｋを用いて被暗号化データＡＶ−Ｋを復号する。そして暗号解凍されたコモン映像データＣＶ及びコモン音声データＣＡをローカル記録部２３に出力する。
【００３２】
なお、上述したコモンビュー供給装置１のＡＶ信号処理部１４での圧縮処理が、ローカル制御部２１においてディスク９０への記録の際の圧縮方式と同様（或いは再生時に復号可能）であれば、コモンデータ受信部２２からローカル記録部２３に供給されるコモン映像データＣＶ及びコモン音声データＣＡは、コモンビュー供給装置１のＡＶ信号処理部１４での圧縮処理で圧縮されている状態の信号であればよい。
一方で、コモンデータ受信部２２は、暗号解凍処理の後、コモン映像データＣＶ及びコモン音声データＣＡを非圧縮状態にまで復号してからローカル記録部２３に供給するようにしてもよい。その場合は、ローカル記録部２３における記録処理部３６で、ディスク９０への記録のための圧縮処理が行われるようにすればよい。
【００３３】
ローカルカメラ３０は、撮像レンズや絞りなどを備えて構成されるレンズ系、レンズ系に対してフォーカス動作やズーム動作を行わせるための駆動系、レンズ系で得られる撮像光を検出し、光電変換を行うことで撮像信号を生成するＣＣＤ（Ｃｈａｒｇｅ  Ｃｏｕｐｌｅｄ  Ｄｅｖｉｃｅ）  、ＣＣＤによって得られる信号に対するゲイン調整や波形整形を行うサンプルホールド／ＡＧＣ（Ａｕｔｏｍａｔｉｃ  Ｇａｉｎ  Ｃｏｎｔｒｏｌ）回路、ビデオＡ／Ｄコンバータなどを備え、撮像によるデジタル映像データ（ローカル映像データＬＶ）を出力する。
ローカルカメラ２におけるＣＣＤ撮像動作、フォーカス／ズーム駆動系動作、信号処理などは、ユーザーの操作に応じてローカル制御部２１によって制御される。
このローカルカメラ３０によっては、ユーザーの操作に応じた映像が撮像され、その撮像された映像信号（ローカル映像データＬＡ）はローカル記録部２３におけるＡＶ信号処理部３５に供給される。
【００３４】
なお、ローカルカメラ３０に対してはローカル記録部２３内の同期信号生成器３４によって同期信号ＳＹが供給される。同期信号生成器３４は、コモンデータ受信部２２からのコモン映像データＣＶの同期信号タイミングにより、ローカルカメラ３０用の同期信号ＳＹを生成する。
従って、ローカルカメラ３０で撮像されるローカル映像データＬＶは、受信されたコモン映像データＣＶと同期したものとなる。
【００３５】
ローカルマイク３１で集音される音声信号もローカル記録部２３におけるＡＶ信号処理部３５に供給される。
ローカルマイク３１からの音声信号は、ＡＶ信号処理部３５においてデジタルデータ（ローカル音声データＬＡ）に変換される。
そしてＡＶ信号処理部３５は、入力されるローカル映像データＬＶ及びローカル音声データＬＡに対して、例えば記録用の圧縮処理等、必要な処理を行う。そして処理したローカル映像データＬＶ及びローカル音声データＬＡを記録処理部３６に供給する。
【００３６】
記録処理部３６はディスク２７へのデータ記録のためのエンコード処理を行う。この記録処理部３６に対しては、コモンデータ受信部２２が動作している期間は、コモン映像データＣＶ及びコモン音声データＣＡが記録データとして供給されることになる。
またローカルカメラ３０，ローカルマイク３１が動作することで、記録処理部３６には、ローカル映像データＬＶ、ローカル音声データＬＡが記録データとして供給されることになる。
さらに、ローカル制御部２１から、記録データとして暗号鍵Ｋが記録処理部３６に供給される場合もある。
記録処理部３６は、これら記録データに対するエンコード処理を行って、記録信号ＤＲＥＣとしてメディアドライブ２７に供給する。
【００３７】
メディアドライブ２７は、例えばディスクメディア９０に対する挿入／排出機構、記録再生ヘッド、スピンドルモータ等の駆動系、サーボ系などを備え、ディスク９０に対するデータ記録再生を行う。このメディアドライブ２７によって、記録処理部３６からの記録信号ＤＲＥＣが所定の方式でディスク９０に記録される。
なお、メディアドライブ２７の記録再生動作はローカル制御部２１によって制御される。
【００３８】
後述するが、ローカル撮像装置５を所持するユーザーがコモンビュー供給装置１からのコモン映像データＣＶ、コモン音声データＣＡの提供を受けるようにするには、先だって、暗号鍵Ｋの提供を受ける必要がある。
暗号鍵Ｋについては、例えばローカル制御部２１の内部又は外部メモリチップとして不揮発性メモリ等を備えていれば、その不揮発性メモリ等に保持していても良いが、本例では暗号鍵Ｋはメディアドライブ２７に装填されたディスク９０に記録するようにする。或いは、既に暗号鍵Ｋが記録されたディスク９０を購入して使用する。
暗号鍵Ｋが記録されていないディスク９０を使用する場合、ローカル制御部２１は入力された暗号鍵Ｋをローカル記録部２３に転送し、ディスク９０に記録させる。
ローカル記録部２３においては、記録処理部３６は暗号鍵Ｋをディスク９０において例えば１つのデータファイル形態として記録するようにエンコード処理を行い、メディアドライブ２７に出力してディスク９０に記録させる。
【００３９】
暗号鍵Ｋが既に記録されたディスク９０を使用するか、或いはこのように、撮像に先立って暗号鍵Ｋをディスク９０に記録させることにより、撮像前におけるディスク９０の内容は図４（ａ）に模式的に示すように暗号鍵Ｋとしてのデータファイルが記録された状態となる。
その後、実際の撮像の際には、上記のように記録処理部３６に対しては、コモン映像データＣＶ、コモン音声データＣＡ、ローカル映像データＬＶ、ローカル音声データＬＡが記録データとして同時に供給されることになる。
その場合、記録処理部３６は、これら最大４系統の各データを、ディスク９０において図４（ｂ）に示すように、コモン映像ファイル、コモン音声ファイル、ローカル映像ファイル、ローカル音声ファイルが論理的に別ファイルとして記録されるように処理する。
記録処理部３６での実際の記録データＤＲＥＣとしてのエンコードは、４系統のデータを時分割処理することが考えられる。その場合、ディスク９０での記録トラック上では、４つのデータファイルが物理的に４つのファイルとして位置的に分離されて記録されるようにしても良いが、時分割処理された各データがデータトラック上で１つの記録データ単位として記録され、論理的に別ファイルとして管理されるようにしても良い。
各データファイルは、１つの映像コンテンツＣＴを構成するファイルとして、コンテンツ管理情報で管理される。
４系統のデータファイルが、どのように同時的に記録されるものであっても、コンテンツ管理情報によって、それぞれ論理的に別ファイルとして扱われ、並列的に読出可能とされているので有れば、記録処理形態はどのようなものでも良い。
【００４０】
ディスク９０に記録されたデータの再生時には、ディスクドライブ２７によって再生された信号がローカル再生部２４に供給される。
ローカル再生部２４では、再生処理部３７において記録フォーマットに対するデコード処理やエラー訂正処理など所定の処理を行い、再生データを得る。
上述した暗号鍵Ｋのファイルが再生される場合、再生処理部３７で暗号鍵Ｋが再生されるが、その暗号鍵Ｋはローカル制御部２１に転送される。
【００４１】
図４（ｂ）のように記録された映像コンテンツＣＴが再生される場合は、再生処理部３７でのデコード処理によって、コモン映像データＣＶ、コモン音声データＣＡ、ローカル映像データＬＶ、ローカル音声データＬＡが得られる。
これら４系統のデータは、ＡＶ信号処理部３８によって例えば圧縮を解凍する処理や映像又は音声の出力に関する処理が行われる。例えばコモン映像データＣＶ、ローカル映像データＬＶについては、圧縮解凍の後、表示のための輝度／色信号処理、ＲＧＢ処理、ゲイン制御が行われ、表示処理部３９に供給される。またコモン音声データＣＡ、ローカル音声データＬＡについては、圧縮解凍の後、レベル調整、Ｄ／Ａ変換等の処理が行われて音声出力処理部４０に供給される。
【００４２】
表示処理部３９には、コモン映像データＣＶ、ローカル映像データＬＶが供給されるが、表示処理部３９において映像の選択又は合成が行われる。
映像の選択又は合成処理は、ユーザの操作部２６による操作に応じて、ローカル制御部２１から指示される。
例えばユーザーがコモン映像を選択指示操作した場合、表示処理部３９はコモン映像データＣＶを選択し、コモン映像データＣＶから表示駆動信号を生成して例えば液晶パネル等にによる表示部２８に出力する。これによって表示部２８にはコモン映像の再生映像が表示される。
またユーザーがローカル映像を選択指示操作した場合、表示処理部３９はローカル映像データＬＶを選択し、ローカル映像データＬＶから表示駆動信号を生成して表示部２８に出力する。これによって表示部２８にはローカル映像の再生映像が表示される。
またユーザーが合成映像を選択指示操作した場合、表示処理部３９はローカル映像データＬＶとコモン映像データＣＶを合成する。例えばＰｉｎＰ表示のための合成を行って表示部２８に出力する。これによって表示部２８にはローカル映像内でコモン映像が子画面とされた再生映像、或いはコモン映像内でローカル映像が子画面とされた再生映像が表示される。
もちろん、ローカル映像とコモン映像が等分に画面分割されるような合成処理が行われ、表示されてもよい。
なお、表示処理部３９は、選択又は合成した映像信号を、出力端子４１から外部モニタ機器に出力することもできる。これによって出力端子４１に接続された外部モニタ機器で選択又は合成された映像を表示させることができる。
【００４３】
音声出力処理部４０にはコモン音声データＣＡ、ローカル音声データＬＡが供給される。音声出力処理部４０はこれらのデータを選択してスピーカ２９に供給する。
この場合の音声の選択は、ユーザー操作に応じても良いし、表示処理部３９での映像選択／合成処理に応じて自動選択しても良い。
例えばユーザーがコモン音声を指示する操作を行った場合は、コモン音声データＣＡを選択し、スピーカ２９から出力させる。
またユーザーがローカル音声を指示する操作を行った場合は、ローカル音声データＬＡを選択し、スピーカ２９から出力させる。
或いは、表示処理部３９でコモン映像が選択される場合は、音声出力処理部４０でコモン音声データＣＡが選択され、表示処理部３９でローカル映像が選択される場合は、音声出力処理部４０でローカル音声データＬＡが選択されるようにしてもよい。さらに、表示処理部３９でコモン映像とローカル映像がＰｉｎＰ合成される場合は、親画面側がコモン映像で有ればコモン音声データＣＡが選択され、親画面側がローカル映像で有ればローカル音声データＬＡが選択されればよい。
さらには、音声出力処理部４０において、コモン音声データＣＡ、ローカル音声データＬＡについて所定の混合比でミックスしてスピーカ２９に供給しても良い。
なお、音声表示処理部４０は、選択又は合成した音声信号を、出力端子４２から外部アンプ／スピーカ／ヘッドホン機器等に出力することもできる。これによって出力端子４２に接続された外部機器により選択又は合成された音声を出力させることができる。
【００４４】
なお図示していないが、ローカル撮像装置５には、ビューファインダによってユーザーが撮像中の被写体のモニタリングや再生映像のモニタリングができるようにされる。
また、例えば液晶パネル等の表示部２８においても、再生映像だけでなく、撮像中の被写体のモニタリング（ローカルカメラ３０での撮像映像であるローカル映像ＬＶの表示）ができるようにされる。
また、外部のパーソナルコンピュータ、オーディオ／ビデオ機器、その他の装置との各種インターフェースが設けられ、映像データ、音声データ、暗号鍵Ｋ、その他各種データの入出力が可能とされること当然考えられる。
【００４５】
さらに、この例では記録媒体をディスク９０としたが、磁気テープや固体メモリカードなど、各種のメディアを記録媒体として利用できる。
例えばローカル撮像装置５に装填される記録メディアが磁気テープカセットとされる場合は、メディアドライブ２７は、テープ記録再生装置部とされ、また記録メディアがメモリカードとされる場合は、メディアドライブ２７は、カードスロットとされることはいうまでもない。
【００４６】
４．暗号鍵の提供形態
上記のようにコモンビュー供給装置１からのコモン映像データＣＶ、コモン音声データＣＡは、暗号化されて送信される。従ってローカル撮像装置５側においては、暗号化を解読するための暗号鍵Ｋを取得しておかなければならない。
そして言い換えれば、暗号鍵の販売によってコモンビュー供給装置１によるサービスを有料化するシステムが実現される。
【００４７】
暗号鍵Ｋの提供形態の例を図５に示す。
この例では、手順ＳＴ１→ＳＴ２（ＳＴ３）→ＳＴ５→ＳＴ６の流れ、もしくは手順ＳＴ１→ＳＴ４→ＳＴ７（ＳＴ８）の流れでユーザーサイドに暗号鍵Ｋが提供される。
【００４８】
まず手順ＳＴ１→ＳＴ２（ＳＴ３）→ＳＴ５→ＳＴ６の流れについて述べる。・手順ＳＴ１
事業者側は、例えばコモンビュー供給装置１のコモン制御部１１で暗号鍵Ｋを生成する。なお、必ずしも暗号鍵Ｋの生成はコモンビュー供給装置１においてする必要はなく、事業者側の管理システム機器などにおいて生成し、それをサービス実行時にコモンビュー供給装置１のコモン制御部１１にロードするようにしてもよい。
【００４９】
・手順ＳＴ２
事業者側は、暗号鍵Ｋを、購入希望するユーザーに通知する処理を行う。通知は、暗号鍵Ｋとしてのコードを記した書類の郵送や電話、電子メール等での通知、インターネット等のネットワークを介した暗号鍵Ｋのダウンロード、その他各種の方法が考えられる。
・手順ＳＴ３
事業者側は、暗号鍵の通知に伴って、ユーザーに対して課金処理を行う。例えばクレジットカードや口座引き落とし手続のためのデータ入力などを行う。
【００５０】
・手順ＳＴ５
ユーザーは、事業者から通知された暗号鍵Ｋを取得する。
・手順ＳＴ６
取得した暗号鍵Ｋは、ローカル撮像装置５に入力され、ディスク９０に記録される。
例えば手順ＳＴ５において、書類の郵送や電話等で通知される暗号鍵Ｋを取得した場合、ユーザーは、その暗号鍵Ｋとしてコードナンバを操作部２６から入力する。そのようにして暗号鍵Ｋが入力されたら、ローカル制御部２１は、暗号鍵Ｋとしてのコードデータをローカル記録部２３に供給し、上述したようにディスク９０に記録させる。
また、例えば手順ＳＴ５において、ネットワークを介したダウンロードなどの手法で暗号鍵Ｋを取得した場合は、そのダウンロードした機器（パーソナルコンピュータ等）をローカル撮像装置５と接続し、暗号鍵Ｋをローカル撮像装置５に転送させる。ローカル制御部２１は、そのようにして暗号鍵Ｋが入力されたら、暗号鍵Ｋとしてのコードデータをローカル記録部２３に供給し、上述したようにディスク９０に記録させる。
【００５１】
このようにして、暗号鍵Ｋが記録されたディスク９０がユーザーサイドで得られ、コモンビュー供給装置１によるサービスを受ける準備が整う。
【００５２】
一方、手順ＳＴ１→ＳＴ４→ＳＴ７（ＳＴ８）の流れは、メディア自体を販売する方式である。
・手順ＳＴ１
上記同様に、暗号鍵Ｋが生成される。
・手順ＳＴ４
事業者側では、生成した暗号鍵Ｋをメディア（ディスク９０）に記録する。
・手順ＳＴ７
事業者は、暗号鍵Ｋを記録したメディアをユーザに販売する。
例えばイベント会場などでメディアを販売しても良いし、予めサービス予定のイベントに関して店頭或いはネット販売などの形態で販売しても良い。
・手順ＳＴ８
ユーザーは購入したメディアに対する対価を支払う。
【００５３】
このようにしても、ユーザーは、暗号鍵Ｋが記録されたディスク９０を入手することができ、コモンビュー供給装置１によるサービスを受ける準備が整う。
【００５４】
なお、暗号鍵がイベント、会場、日時などの別においてそれぞれ固有のコードとして生成されるようにすることで、イベント、会場、日時等を特定したサービスの販売が可能となる。
一方で、イベント等に限らず同一の暗号鍵Ｋが使用されるようにすれば、一旦サービスを購入したユーザーは、各種イベントでサービスを享受できるようにもなる。
即ち暗号鍵Ｋの生成／運用のしかたによってサービスの実施態様を任意に設定できるものとなる。
【００５５】
５．コモンビュー供給及び記録処理
実際にコモンビュー供給装置１によるサービスを実行する場合の動作を説明する。
例えば運動会などのイベントにおいて、コモンビュー供給装置１（コモンカメラ２）は、全体を鳥瞰的に撮像できるように配置される。
そして図６のような処理で動作が行われる。
【００５６】
コモンビュー供給装置１によるサービス開始に際しては、まずコモン制御部１１は、ステップＦ１０１で今回のイベント用の暗号鍵Ｋを暗号器１５にセットする。また操作者（カメラマン）の操作に応じて、ミキサ回路１３のミックス比設定やコモンカメラ２の撮像状態など、各種設定を行う。
コモン映像／コモン音声についてのローカル撮像装置５への供給開始がカメラマンの操作により指示されると、処理はステップＦ１０２からＦ１０３に進む。ステップＦ１０３としてのコモンビュー供給処理は、カメラマンにより供給終了の操作が行われるまで（ステップＦ１０４）、継続して実行される。
【００５７】
ステップＦ１０３のコモンビュー供給処理では、コモン制御部１１はコモンカメラ５，コモンデータ送信部１２の各部を制御して、ステップＦ１０３ａ〜Ｆ１０３ｄの処理を継続して実行させる。
即ち、コモンカメラ２で撮像されるコモン映像データＣＶ、及びミキサ回路１３から供給されるコモン音声データＣＡについて、ＡＶ信号処理部１４で上述した処理を実行させ（Ｆ１０３ａ、Ｆ１０３ｂ）、ＡＶ信号処理部１４でエンコードされたデータについて暗号器１５で暗号化させ（Ｆ１０３ｃ）、暗号化された被暗号化データＡＶ−Ｋを送信器１６により送信させる（Ｆ１０３ｄ）。
【００５８】
以上の動作が行われることで、例えば運動会等の全体を撮したコモン映像データＣＶや、或いは全体の音声もしくはライン音声としてのコモン音声データＣＡが、暗号化されて送信される。
例えば運動会等の会場にいる１又は複数のローカル撮像装置５のユーザー、即ち暗号鍵Ｋを取得したユーザは、その所持するローカル撮像装置５によって、送信されてくる被暗号化データを受信し、コモン映像データＣＶ及びコモン音声データＣＡを得ることができる。
【００５９】
ローカル撮像装置５側では、例えば図７（ａ）又は図７（ｂ）のようにディスク９０への記録が行われる。
【００６０】
図７（ａ）は、受信されるコモンデータ（コモン映像データＣＶ、コモン音声データＣＡ）については記録開始から継続して記録し、一方ローカルデータ（ローカル映像データＬＶ、ローカル音声データＬＡ）についてはユーザーの操作に応じて記録を行う例である。
例えばｔ０時点でユーザーが記録操作を行ったとすると、コモンデータ、ローカルデータは共にディスク９０に記録されていく。
ここでｔ１時点でユーザが記録中断操作を行うと、ローカルデータの記録は一次停止されるがコモンデータについてが継続される。そしてｔ２時点でユーザーが記録再開操作を行うと、ローカルデータの記録が再開される。
このように、ユーザーが記録開始後、記録の中断操作／再開操作を行うことに応じてローカルデータの記録が制御されるが、コモンデータについてはユーザーの操作に関わらず、継続してディスク９０への記録が行われる。
そしてコモンデータとローカルデータは、映像コンテンツとして一部が時間的に重複したデータとなる。つまりローカルデータの記録が行われた期間、映像コンテンツを構成するデータとしてローカルデータとコモンデータが時間的に重複する。
【００６１】
一方、図７（ｂ）は、コモンデータの記録もユーザーの操作に応じて行われる例である。
例えばｔ０時点でユーザーが記録操作を行ったとすると、コモンデータ、ローカルデータは共にディスク９０に記録されていく。
ここでｔ１時点でユーザが記録中断操作を行うと、ローカルデータとコモンデータの両方について記録は一次停止される。そしてｔ２時点でユーザーが記録再開操作を行うと、ローカルデータとコモンデータの記録が再開される。
このように、コモンデータとローカルデータの両方が、ユーザーの記録操作、記録の中断操作／再開操作に応じて記録される。
この場合、コモンデータとローカルデータは、全ての期間において時間的に重複しながら映像コンテンツを形成するデータとなる。
【００６２】
図８によりローカル撮像装置５における記録モード処理を説明する。
ユーザが操作部２６によりローカル撮像装置５のパワーオン及び撮像スタンバイの操作を行い、ローカル制御部２１はステップＦ２０１でその検出したとすると、それに応じて電源オン制御を行いステップＦ２０２に進む。
ローカル制御部２１は、ステップＦ２０２でメディアドライブ２７及びローカル再生部２４を制御してディスク９０に記録された暗号鍵Ｋの再生動作を実行させる。そしてステップＦ２０３で、読み出された暗号鍵Ｋを暗号復号器３３にセットする。これによってコモンビュー供給装置１からの送信データの暗号解読が可能となる。
なお、暗号鍵Ｋをディスク９０から読み出して暗号復号器３３にセットする処理とすることで、上記図５で説明した２つの暗号鍵Ｋの提供形態のどちらの場合でも対応できるものとなる。
次にステップＦ２０４では、コモンデータ受信部２２での受信動作及び暗号解読動作を開始させるとともに、ローカルカメラ３０での撮像動作を開始させる。この時点で、ローカルカメラ３０でのローカル映像データＬＶ、ローカルマイク３１でのローカル音声データＬＡ、及び受信及び暗号復号されたコモン映像データＣＶ、コモン音声データＣＡは、ローカル記録部２３に供給される状態となる。
このスタンバイ状態においては、ユーザーは、表示部２８又は図示しないビューファインダに表示されるローカル映像データＬＶを見ることで、被写体を確認できる状態となっている。
【００６３】
ステップＦ２０５では、ユーザーの記録開始操作に応じてディスク９０への記録が行われる。このステップＦ２０５の記録処理としては、上記図７（ａ）又は図７（ｂ）のように行われる。これらの処理はそれぞれ図９又は図１０の処理となる。
【００６４】
まず図９により、図７（ａ）に相当する記録処理を説明する。
ユーザーが記録開始操作を行ったことを検知すると、ローカル制御部２１の処理は図９のステップＦ３０１からＦ３０２に進み、ローカル記録部２３に対して、コモン映像データＣＶ、コモン音声データＣＡ、ローカル映像データＬＶ、ローカル音声データＬＡについて、ディスク９０への記録を実行させる。
この記録の実行中には、ローカル制御部２１は、ユーザーの記録終了操作と記録一時停止操作を監視している。
【００６５】
ステップＦ３０３で記録終了操作が検出されたら、ステップＦ３０８に進んで記録処理を停止させる。
ステップＦ３０４で記録一時停止（ポーズ）操作が検出されたら、ステップＦ３０５に進んで、ローカル映像データＬＶ、ローカル音声データＬＡについての記録処理を停止させる。つまり、コモン映像データＣＶ、コモン音声データＣＡについては引き続き記録を実行させる。
このコモンデータのみの記録の実行中（ローカルデータの記録ポーズ中）には、ローカル制御部２１は、ユーザーの記録終了操作と記録再開操作を監視している。
ステップＦ３０７で記録終了操作が検出されたら、ステップＦ３０８に進んで記録処理を停止させる。
ステップＦ３０６で記録再開（ポーズ解除）操作が検出されたら、ステップＦ３０２に進んで、ローカル映像データＬＶ、ローカル音声データＬＡについての記録処理を再開させる。つまり、再びコモン映像データＣＶ、コモン音声データＣＡ、ローカル映像データＬＶ、ローカル音声データＬＡの記録が行われる。
この図９のように処理が行われることで、図７（ａ）のような記録が実行される。
【００６６】
一方、図７（ｂ）に相当する記録動作のための処理は図１０のようになる。
ユーザーが記録開始操作を行ったことを検知すると、ローカル制御部２１の処理は図１０のステップＦ４０１からＦ４０２に進み、ローカル記録部２３に対して、コモン映像データＣＶ、コモン音声データＣＡ、ローカル映像データＬＶ、ローカル音声データＬＡについて、ディスク９０への記録を実行させる。
この記録の実行中には、ローカル制御部２１は、ユーザーの記録終了操作と記録一時停止操作を監視している。
【００６７】
ステップＦ４０３で記録終了操作が検出されたら、ステップＦ４０８に進んで記録処理を停止させる。
ステップＦ４０４で記録一時停止（ポーズ）操作が検出されたら、ステップＦ４０５に進んで、記録処理を中断させる。この場合、コモンデータ（ＣＶ、ＣＡ）、ローカルデータ（ＬＶ，ＬＡ）の全て、記録が一時停止される。つまりスタンバイ状態となる。
この記録ポーズ中には、ローカル制御部２１は、ユーザーの記録終了操作と記録再開操作を監視している。
ステップＦ４０７で記録終了操作が検出されたら、ステップＦ４０８に進んで記録処理を停止させる。
ステップＦ４０６で記録再開（ポーズ解除）操作が検出されたら、ステップＦ４０２に進んで記録処理を再開させる。つまり、再びコモン映像データＣＶ、コモン音声データＣＡ、ローカル映像データＬＶ、ローカル音声データＬＡの記録が行われる。
この図１０のように処理が行われることで、図７（ｂ）のような記録が実行される。
【００６８】
図８のステップＦ２０５としての記録処理は、以上の図９又は図１０のように行われる。
図９のステップＦ３０８又は図１０のステップＦ４０８で記録処理が終了された後、記録モード終了操作（電源オフ、又は再生モードへの切換など）が行われたら、ステップＦ２０６からＦ２０７に進み、コモンデータ受信部２２での受信処理や、ローカルカメラ３０での撮像動作を終了させ、ステップＦ２０８でパワーオフ又は再生モードへの切換を行って記録モード処理を終える。
【００６９】
以上のようにして、本例のローカル撮像装置５においては、ユーザー自身が撮像した映像／音声と、コモンビュー供給装置１から供給された映像／音声を、同時的にディスク９０に記録できる。
そしてコモンビュー供給装置１からはイベント等の全体的な映像や高品質な音声が供給されているため、ユーザーにとっては、自分が注目する被写体を集中して撮っているだけで、並行して、全体的な映像や音声も得られることになる。
【００７０】
６．映像／音声の再生
上記記録動作により、ディスク９０には図４（ｂ）のようにコモン映像、コモン音声、ローカル映像、ローカル音声としての各ファイル構成となる映像コンテンツＣＴが記録された状態となる。
このようなコンテンツＣＴの再生を行うことで、上述したローカル再生部２４の処理により、ユーザーは所望の状態で映像を見ることができる。
【００７１】
ローカル再生部２４の処理については図３を参照して説明したため、ここでは繰り返さないが、上述の通り、映像については、再生されたコモン映像データＣＶとローカル映像データＬＶが、ユーザー操作に応じて選択又は合成されて表示される。
再生されたコモン音声データＣＡとローカル音声データＬＡについては、ユーザー操作、もしくは映像の選択状態に応じて選択されるか、或いは合成されて出力される。
【００７２】
図１１は、コモン映像データＣＶが選択された表示部２８に表示されている例を示している。例えば、運動会の競技の全体的の光景を撮像した映像である。
図１２は、ローカル映像データＬＶが選択された表示部２８に表示されている例を示している。例えば、ユーザーが自分の子供をズームして撮像した映像である。
図１３は、コモン映像データＣＶが親画面、ローカル映像データＬＶが子画面としてＰｉｎＰ合成され、表示部２８に表示されている例を示している。
図１４は、ローカル映像データＬＶが親画面、コモン映像データＣＶが子画面としてＰｉｎＰ合成され、表示部２８に表示されている例を示している。
ユーザーは、これらの各表示状態を任意に切り換えて、撮像映像を楽しむことができる。
【００７３】
７．変形例
以上、実施の形態の撮像システムを説明してきたが、本発明としては各種多様な変形例が考えられる。
まず、コモンビュー供給装置１、ローカル撮像装置５としての構成は、上記図２，図３の構成に限定されない。
【００７４】
またコモンビュー供給装置１からの送信データを受信するローカル撮像装置５は、もちろん複数台存在すること（ローカル撮像装置５を所持するユーザーが多数存在する）ことが想定されるが、コモンビュー供給装置１としては、イベントの全体的な映像及び音声を送信するものであるため、少なくとも１台設置されればサービスを提供できる。
一方、複数のコモンビュー供給装置１を設置することも考えられる。
そして例えばユーザーサイド（ローカル撮像装置５側）から受信したいコモンビュー供給装置１を選択できるようにしてもよい。
また、例えばテーマパークなどでアトラクション毎にコモンビュー供給装置１を設置し、ユーザーが参加しているアトラクションにおけるコモンビュー供給装置１からデータ送信を受けるようにすることもできる。
【００７５】
特に複数のコモンビュー供給装置１を設置する場合、ユーザーの位置とコモンビュー供給装置１の位置関係から、ローカル撮像装置５側で自動的に受信するコモンビュー供給装置１を選択できるようにすることも考えられる。
例えばローカル撮像装置５内にＧＰＳ受信機等、位置検出手段を設け、また各コモンビュー供給装置１から設置位置の情報を送信する。そしてローカル撮像装置５は、自身の位置に一番近いコモンビュー供給装置１を選択して、受信を行うようにするなどである。
【００７６】
また、上記例では暗号化送信を行うことで暗号鍵を購入したユーザーにのみサービスが提供される有料システムの例を述べたが、暗号化方式や暗号鍵などは各種考えられる。例えばローカル撮像装置５の機器ＩＤやシリアルナンバを用いて暗号鍵を生成するものとすれば、ローカル撮像装置５を購入して機器ＩＤとともにサービス登録を受けたユーザーに対するサービスも可能となる。
もちろん無料のサービスを行うものとすれば、暗号化は不要になる。
【００７７】
またコモンビュー供給装置１が送信するデータとしては、コモン映像データＣＶとコモン音声データＣＡの一方のみであってもよい。
或いは、ローカル撮像装置５側で、記録するデータをユーザーの操作等に応じて選択できるようにしても良い。例えばコモン音声データＣＡは不要と考えるユーザにとっては、コモン映像データＣＶ、ローカル映像データＬＶ、ローカル音声データが記録されればよいためである。
【００７８】
コモンデータとローカルデータの記録動作も図７（ａ）（ｂ）以外にも考えられる。例えばコモンデータについても、ユーザーがローカルデータとは独立して記録開始／停止の操作を行うことができるようにしてもよい。
また、コモンデータは、ローカルデータの記録が行われていない期間（ポーズ中）にのみ行われるようにしても良い。
【００７９】
さらに、ユーザーが記録モードを選択可能にして多様な記録動作を実行できるようにしても良い。
例えばコモンデータの受信中でも、ユーザーが特にコモンデータの必要を感じない場合もある。或いは、ローカルデータの撮像を行わないがコモンデータを欲する場合もある。
このため、例えば記録モードとして、コモンデータのみ、ローカルデータのみ、及びコモンデータとローカルデータの両方、という記録モードを選択可能とし、ローカル撮像装置５では、モードに応じた記録処理を行うようにすることも考えられる。
例えばコモンデータのみのモード時には、コモンデータ受信部２２とローカル記録部２３の処理によりコモンデータ（ＣＡ，ＣＶ）のみをディスク９０に記録する。一方、ローカルデータのみのモード時には、コモンデータ受信部２２の動作をオフとし、ローカルカメラ３０，ローカルマイク３１によるローカルデータ（ＬＶ，ＬＡ）について、ローカル記録部２３の処理によりディスク９０に記録する。
【００８０】
本発明の撮像システムは、上記動作からわかるように、運動会や発表会などの行事、コンサート、イベント、テーマパーク、海、山、その他の観光地など、多様な場所、機会において有用に適用できる。
【００８１】
【発明の効果】
以上の説明から理解されるように本発明によれば、第１の撮像装置（コモンビュー供給装置）において、コモン映像として例えば被写体となっている範囲の全体的な映像を撮像し、その映像データを第２の撮像装置（ローカル撮像装置）に送信する。そして第２の撮像装置（ローカル撮像装置）では、ユーザーが任意に撮像を行い、撮像映像を記録媒体に記録するが、その際に、上記第１の撮像装置（コモンビュー供給装置）から送信されてきた映像も同時に記録する。
すると、例えばローカル撮像装置を所持するユーザーは、例えば自分の子供など、自分の撮りたい映像を集中して撮っていればよく、全体的な映像を考慮する必要はない。即ち全体的な映像についてはコモンビュー供給装置から受信した映像を記録することで得ることができるためである。
そしてローカル撮像装置のユーザーが自分で撮像した映像とコモンビュー供給装置から送信されてきた映像は、同一の映像コンテンツを構成する２系統の映像データとして記録される。再生時には、これら２系統の映像を選択的に、或いは合成して出力することで、ユーザーにとって最適な状態で再生映像を楽しむことができる。
即ち、ユーザーは、全体的な映像と、自分が集中して撮りたい映像の２つを記録媒体に記録した状態で得ることができる。
また、ユーザーは全体を考えずに自分の撮りたい映像に集中していればよいため、操作も煩わしくなく、かつ熟練者でなくとも品質の良い映像を得やすいものとなる。
そしてこのようにして得た複数系統の映像を選択的に又は合成して再生できることで、全体の映像と、集中して撮像した映像の両方を、好みの状態で見ることができ、自分の撮像にかかる映像コンテンツとしての満足度も、また完成度も高いものとすることができる。
【００８２】
また第１の撮像装置（コモンビュー供給装置）は、さらに、マイクロホン入力又はライン入力として、音声データを得、これを第２の撮像装置（ローカル撮像装置）に送信する。ローカル撮像装置ではこのような受信音声も記録することで、ローカル撮像装置のマイクロホンで得た音声とともに、全体的な音声を得ることができる。
例えば運動会、イベント、コンサートなどでは、コモンビュー供給装置からローカル撮像装置に対してライン入力音声を送信するようにすれば、ユーザーに対して非常に高品質な音声を提供できるものとなる。
【００８３】
また第１の撮像装置（コモンビュー供給装置）は、データ（映像データ／音声データ）を暗号化して送信し、第２の撮像装置（ローカル撮像装置）は、受信した暗号化データを復号するようにする。これにより、暗号鍵を有する特定のローカル撮像装置にのみ、コモン映像／音声を提供できる。
換言すれば、暗号鍵の提供／販売により、コモンビュー供給装置からの映像／音声提供サービスの有料化が可能となる。
【００８４】
また第２の撮像装置（ローカル撮像装置）においては、ローカル撮像装置での撮像映像を記録している際に、同時にコモンビュー供給装置から送信されてきた映像を記録することで、ユーザーにとって適切に共通映像が得られる。つまり通常は、ユーザーが撮像を行っている期間が、共通映像を欲する期間と一致するためである。
或いは、ユーザーが撮像映像の記録を行っていない期間においても、コモンビュー供給装置からの共通映像については記録を継続するようにしても、ユーザーにとって十分な共通映像が提供されるものとなる。
【図面の簡単な説明】
【図１】本発明の実施の形態の撮像システムの説明図である。
【図２】実施の形態のコモンビュー供給装置のブロック図である。
【図３】実施の形態のローカル撮像装置のブロック図である。
【図４】実施の形態のローカル撮像装置におけるディスクの記録状態の説明図である。
【図５】実施の形態の暗号鍵提供形態の説明図である。
【図６】実施の形態のコモンビュー供給装置の処理のフローチャートである。
【図７】実施の形態のローカル撮像装置の記録動作の説明図である。
【図８】実施の形態のローカル撮像装置の記録モード処理のフローチャートである。
【図９】実施の形態の記録処理のフローチャートである。
【図１０】実施の形態の記録処理のフローチャートである。
【図１１】実施の形態の再生映像の表示例の説明図である。
【図１２】実施の形態の再生映像の表示例の説明図である。
【図１３】実施の形態の再生映像の表示例の説明図である。
【図１４】実施の形態の再生映像の表示例の説明図である。
【符号の説明】
１  コモンビュー供給装置、２  コモンカメラ、３  制御／送信ユニット、４コモンマイク、５  ローカル撮像装置、１１  コモン制御部、１２  コモンデータ送信部、１３、ミキサ回路、１４  ＡＶ信号処理部、１５  暗号器、１６  送信器、２１  ローカル制御部、２２  コモンデータ受信部、２３  ローカル記録部、２４  ローカル再生部、２７  メディアドライブ、２８  表示部、２９  スピーカ、３０  ローカルカメラ、３１  ローカルマイク
【図１】
2005026727.tif 000003
【図２】
2005026727.tif 000004
【図３】
2005026727.tif 000005
【図４】
2005026727.tif 000006
【図５】
2005026727.tif 000007
【図６】
2005026727.tif 000008
【図７】
2005026727.tif 000009
【図８】
2005026727.tif 000010
【図９】
2005026727.tif 000011
【図１０】
2005026727.tif 000012
【図１１】
2005026727.tif 000013
【図１２】
2005026727.tif 000014
【図１３】
2005026727.tif 000015
【図１４】
2005026727.tif 000016